(57)【特許請求の範囲】
【請求項１】
映像記録媒体に、画像信号を記録する映像記録装置であって、
撮影対象から画像データを取り込む撮像素子と、
撮影場所の明るさを測定する測光素子と、
前記画像データに基づいて画像信号を生成する画像データ処理部と、
前記撮影対象が示す明るさ情報の範囲が、映像記録装置が前記映像記録媒体へ記録できる明るさ情報の範囲よりも狭い場合には、前記撮影対象が示す明るさ情報の範囲を、映像記録装置が前記映像記録媒体へ記録できる明るさ情報の範囲全体に広げて収めるように調整し、
前記撮影対象が示す明るさ情報の範囲が、映像記録装置が前記映像記録媒体へ記録できる明るさ情報の範囲よりも広い場合には、前記撮影対象が示す明るさ情報の範囲を、映像記録装置が前記映像記録媒体へ記録できる明るさ情報の範囲全体に狭めて収めるように調整し、
入力画像信号に応じてライトバルブ上の画像を変化させると共に、ライトバルブに入射する光量を調光素子により変化させる映像表示装置に使用され、前記明るさ情報の範囲の調整において前記狭めて収めるよう調整が行われた場合には前記調光素子の光量を大きく制御し、前記明るさ情報の範囲の調整において前記広げて収めるよう調整が行われた場合には前記調光素子の光量を小さく制御する調光量を含む調光制御信号であって、前記測光素子の出力から検出された明るさ情報を含む調光制御信号を生成する調光信号生成部と、
前記画像信号と前記調光制御信号とを、前記画像信号のフレームに同期させて記録する同期処理手段と、
を備えることを特徴とする映像記録装置。
【請求項２】
請求項１に記載の映像記録装置であって、
前記調光信号生成部は、前記測光素子の出力から複数の色毎に明るさ情報を検出し、前記複数の色毎に調光制御信号を生成する
ことを特徴とする映像記録装置。
【請求項３】
映像記録媒体への映像記録方法であって、
撮影対象から画像データを取り込むとともに、別途、撮影場所の明るさを測定することによって明るさ情報を検出し、
前記画像データに基づいて画像信号を生成し、
前記撮影対象が示す明るさ情報の範囲が、映像記録装置が前記映像記録媒体へ記録できる明るさ情報の範囲よりも狭い場合には、前記撮影対象が示す明るさ情報の範囲を、映像記録装置が前記映像記録媒体へ記録できる明るさ情報の範囲全体に広げて収めるように調整し、
前記撮影対象が示す明るさ情報の範囲が、映像記録装置が前記映像記録媒体へ記録できる明るさ情報の範囲よりも広い場合には、前記撮影対象が示す明るさ情報の範囲を映像記録装置が前記映像記録媒体へ記録できる明るさ情報の範囲全体に狭めて収めるように調整し、
入力画像信号に応じてライトバルブ上の画像を変化させると共に、調光素子によりライトバルブに入射する光量を変化させる映像表示装置の前記光量の変化に使用され、前記明るさ情報の範囲の調整において前記狭めて収めるよう調整が行われた場合には前記調光素子の光量を大きく制御し、前記明るさ情報の範囲の調整において前記広げて収めるよう調整が行われた場合には前記調光素子の光量を小さく制御する調光量を含む調光制御信号であって、前記検出された明るさ情報を含む調光制御信号を生成し、
前記画像信号と前記調光制御信号とを、前記画像信号のフレームに同期させて記録する
ことを特徴とする映像記録方法。
【請求項４】
映像記録媒体に画像信号を記録する映像記録装置の、コンピュータに実行させるプログラムを記録した記録媒体であって、
撮影対象から画像データを取り込む撮像処理と、
撮影場所の明るさを測定することによって明るさ情報を検出する測光処理と、
前記画像データに基づいて画像信号を生成する画像データ処理と、
前記撮影対象が示す明るさ情報の範囲が、映像記録装置が前記映像記録媒体へ記録できる明るさ情報の範囲よりも狭い場合には、前記撮影対象が示す明るさ情報の範囲を、映像記録装置が前記映像記録媒体へ記録できる明るさ情報の範囲全体に広げて収めるように調整し、
前記撮影対象が示す明るさ情報の範囲が、映像記録装置が前記映像記録媒体へ記録できる明るさ情報の範囲よりも広い場合には、前記撮影対象が示す明るさ情報の範囲を、映像記録装置が前記映像記録媒体へ記録できる明るさ情報の範囲全体に狭めて収めるように調整し、
入力画像信号に応じてライトバルブ上の画像を変化させると共に、ライトバルブに入射する光量を調光素子により変化させる映像表示装置に使用され、前記明るさ情報の範囲の調整において前記狭めて収めるよう調整が行われた場合には前記調光素子の光量を大きく制御し、前記明るさ情報の範囲の調整において前記広げて収めるよう調整が行われた場合には前記調光素子の光量を小さく制御する調光量を含む調光制御信号であって、前記測光素子の出力から検出された明るさ情報を含む調光制御信号を生成する調光信号生成処理と、
前記画像信号と前記調光制御信号とを、前記画像信号のフレームに同期させて記録する同期処理と、
をコンピュータに実行させるプログラムを記録した記録媒体。
【発明の詳細な説明】
【技術分野】
【０００１】
本発明は、映像記録方法、映像記録装置、映像記録媒体、映像表示方法、及び映像表示装置に関し、特に、撮影時の実際の明るさを忠実に記録し、当該記録した記録媒体から前記撮影時の実際の明るさを忠実に表現できる、映像記録方法、映像記録装置、映像記録媒体、映像表示方法、及び映像表示装置に関する。
【背景技術】
【０００２】
近年、情報機器の発達はめざましく、解像度が高く、低消費電力でかつ薄型の表示装置の要求が高まり、研究開発が進められている。中でも液晶表示装置は液晶分子の配列を電気的に制御して光学的特性を変化させることができ、上記のニーズに対応できる表示装置として期待されている。このような液晶表示装置の一形態として、ライトバルブ（液晶ライトバルブなど）と、ライトバルブに入射させる光の量を変化させる調光素子とを用い、光学系から射出される映像を投射レンズを通してスクリーンに拡大投射する投射型の映像表示装置（液晶プロジェクタなど）が知られている。なお関連技術として、スクリーンに拡大投射する投射型の映像表示装置において光源の輝度を調節する技術が特許文献１に公開されている。
【特許文献１】特開平５−０６６５０１号公報
【発明の開示】
【発明が解決しようとする課題】
【０００３】
ここで、従来、映像記録装置において映像を記録する際には、例えば、シャッタースピードや絞りを行うことによって、取りたい明るさの範囲にフォーカスを当てて、その明るさで映像を記録し、また映像表示装置ではその記録された映像に従って映像を表示している。しかしながら、このような方法では、実際の撮影時の明るさの情報を全て映像記録装置で記録しているとはいえないので、実際の撮影時の明るさに忠実な明るさの表現ができなかった。
【０００４】
本発明はこのような問題を解決するためになされたもので、その目的は、ライトバルブと調光素子を用いた投射型の映像記録装置において、撮影時の実際の明るさを忠実に記録し、当該記録した記録媒体から前記撮影時の実際の明るさを忠実に表現できる、映像記録方法、映像記録装置、映像記録媒体、映像表示方法、及び映像表示装置を提供することにある。
【課題を解決するための手段】
【０００５】
上記目的を達成するために、本発明は、映像記録媒体に、画像信号を記録する映像記録装置であって、撮影対象から画像データを取り込む撮像素子と、撮影場所の明るさを測定する測光素子と、前記画像データに基づいて画像信号を生成する画像データ処理部と、前記撮影対象が示す明るさ情報の範囲が、映像記録装置が前記映像記録媒体へ記録できる明るさ情報の範囲よりも狭い場合には、前記撮影対象が示す明るさ情報の範囲を、映像記録装置が前記映像記録媒体へ記録できる明るさ情報の範囲全体に広げて収めるように調整し、前記撮影対象が示す明るさ情報の範囲が、映像記録装置が前記映像記録媒体へ記録できる明るさ情報の範囲よりも広い場合には、前記撮影対象が示す明るさ情報の範囲を、映像記録装置が前記映像記録媒体へ記録できる明るさ情報の範囲全体に狭めて収めるように調整し、入力画像信号に応じてライトバルブ上の画像を変化させると共に、ライトバルブに入射する光量を調光素子により変化させる映像表示装置に使用され、前記明るさ情報の範囲の調整において前記狭めて収めるよう調整が行われた場合には前記調光素子の光量を大きく制御し、前記明るさ情報の範囲の調整において前記広げて収めるよう調整が行われた場合には前記調光素子の光量を小さく制御する調光量を含む調光制御信号であって、前記測光素子の出力から検出された明るさ情報を含む調光制御信号を生成する調光信号生成部と、前記画像信号と前記調光制御信号とを、前記画像信号のフレームに同期させて記録する同期処理手段と、を備えることを特徴とする映像記録装置である。
これにより、撮影対象が示す明るさ情報の範囲を、映像記録装置が映像記録媒体へ記録できる明るさ情報の範囲全体に均一に収めるように調整することにより、撮影時の実際の明るさを忠実に記録できる。
【０００７】
また本発明は、上述の映像記録装置であって、前記調光信号生成部は、前記測光素子の出力から複数の色毎に明るさ情報を検出し、前記複数の色毎に調光制御信号を生成することを特徴とする。
【０００８】
また本発明は、映像記録媒体への映像記録方法であって、撮影対象から画像データを取り込むとともに、別途、撮影場所の明るさを測定することによって明るさ情報を検出し、前記画像データに基づいて画像信号を生成し、前記撮影対象が示す明るさ情報の範囲が、映像記録装置が前記映像記録媒体へ記録できる明るさ情報の範囲よりも狭い場合には、前記撮影対象が示す明るさ情報の範囲を、映像記録装置が前記映像記録媒体へ記録できる明るさ情報の範囲全体に広げて収めるように調整し、前記撮影対象が示す明るさ情報の範囲が、映像記録装置が前記映像記録媒体へ記録できる明るさ情報の範囲よりも広い場合には、前記撮影対象が示す明るさ情報の範囲を映像記録装置が前記映像記録媒体へ記録できる明るさ情報の範囲全体に狭めて収めるように調整し、入力画像信号に応じてライトバルブ上の画像を変化させると共に、調光素子によりライトバルブに入射する光量を変化させる映像表示装置の前記光量の変化に使用され、前記明るさ情報の範囲の調整において前記狭めて収めるよう調整が行われた場合には前記調光素子の光量を大きく制御し、前記明るさ情報の範囲の調整において前記広げて収めるよう調整が行われた場合には前記調光素子の光量を小さく制御する調光量を含む調光制御信号であって、前記検出された明るさ情報を含む調光制御信号を生成し、前記画像信号と前記調光制御信号とを、前記画像信号のフレームに同期させて記録することを特徴とする映像記録方法である。
【０００９】
また本発明は、映像記録媒体に画像信号を記録する映像記録装置の、コンピュータに実行させるプログラムを記録した記録媒体であって、撮影対象から画像データを取り込む撮像処理と、撮影場所の明るさを測定することによって明るさ情報を検出する測光処理と、前記画像データに基づいて画像信号を生成する画像データ処理と、前記撮影対象が示す明るさ情報の範囲が、映像記録装置が前記映像記録媒体へ記録できる明るさ情報の範囲よりも狭い場合には、前記撮影対象が示す明るさ情報の範囲を、映像記録装置が前記映像記録媒体へ記録できる明るさ情報の範囲全体に広げて収めるように調整し、前記撮影対象が示す明るさ情報の範囲が、映像記録装置が前記映像記録媒体へ記録できる明るさ情報の範囲よりも広い場合には、前記撮影対象が示す明るさ情報の範囲を、映像記録装置が前記映像記録媒体へ記録できる明るさ情報の範囲全体に狭めて収めるように調整し、入力画像信号に応じてライトバルブ上の画像を変化させると共に、ライトバルブに入射する光量を調光素子により変化させる映像表示装置に使用され、前記明るさ情報の範囲の調整において前記狭めて収めるよう調整が行われた場合には前記調光素子の光量を大きく制御し、前記明るさ情報の範囲の調整において前記広げて収めるよう調整が行われた場合には前記調光素子の光量を小さく制御する調光量を含む調光制御信号であって、前記測光素子の出力から検出された明るさ情報を含む調光制御信号を生成する調光信号生成処理と、前記画像信号と前記調光制御信号とを、前記画像信号のフレームに同期させて記録する同期処理と、をコンピュータに実行させるプログラムを記録した記録媒体である。
【発明を実施するための最良の形態】
【００１２】
次に本発明を実施するための最良の形態について図面を参照して説明する。
【００１３】
［映像記録装置］
まず、最初に、本発明による映像記録装置について説明する。
図１は、本発明による映像記録装置について説明するための図であり、映像記録装置２００では、ＣＣＤカメラ部２０１により映像を撮影する際に、測光素子２０２により撮影場所の明るさ（露光量）を測定し、ＣＣＤカメラ部２０１から得られた「画像信号」と、測光素子２０２の測定データを基に生成された「調光制御信号」とを、映像記録媒体１に記録する。なお、調光制御信号は画像信号中のフレーム（画像フレーム）に同期して記録される。またこの時、撮影対象が示す明るさ情報の範囲を、映像記録装置２００が映像記録媒体１へ記録できる明るさ情報の範囲全体に均一に収めるような情報に調整する。
【００１４】
このように、画像信号と調光制御信号を予め対応させて映像記録媒体１に記録しておくことにより、映像表示装置１００で映像を再生する際に、画像と調光量が非同期となることを防ぐことができ、再生する映像に「白潰れ」や「チラツキ」を生じさせないようにでき、また、撮影対象が示す明るさ情報の範囲を、映像記録装置２００が映像記録媒体１へ記録できる明るさ情報の範囲全体に均一に収めるように調整することにより、撮影時の実際の明るさを忠実に記録でき、表示する際には、当該記録した記録媒体から撮影時の実際の明るさを忠実に表現できる。また、調光制御信号により、映像制作者の意図した通りの光量状態で、映像を再生できる。
【００１５】
また、図２は、本発明による映像記録装置の第１の構成例を示す図であり、符号２０１はＣＣＤカメラ部、２０２は測光素子、２１１は画像データ処理部、２１２は画像データ書込部、２２１は調光信号生成部、２２２は調光信号書込部、２３１は同期処理部を示している。
【００１６】
ＣＣＤカメラ部２０１は光学系とＣＣＤ撮像素子を有するカラー撮影用のビデオカメラであり、ＣＣＤカメラ部２０１で撮影された撮像データは画像データ処理部２１１に出力される。画像データ処理部２１１では、ＣＣＤカメラ部２０１から受信した撮像データをデジタル信号化するとともに、画像データの圧縮処理などを行い画像データを作成する。
【００１７】
画像データ書込部２１２では、画像データ処理部２１１で作成された画像データｊを受け取り、該画像データｊから所定の記録フォーマット（例えば、ＭＰＥＧなど）の画像信号ａを生成して、映像記録媒体１に書き込む。
【００１８】
一方、測光素子２０２は、ＣＣＤカメラ部２０１で撮影される撮影場所の周囲の明るさ（露光量）をモニタする機能を有し、測光素子２０２で測定されたデータは、調光信号生成部２２１に入力され、Ｒ（赤）明度検出部２２１Ｒ、Ｇ（緑）明度検出部２２１Ｇ、Ｂ（青）明度検出部２２１Ｂにより、Ｒ（赤）、Ｇ（緑）、Ｂ（青）の各色ごとに明るさが検出され、また、各色ごとに映像表示装置内の調光素子（図２に示す調光素子１３Ｒ、１３Ｇ、１３Ｂを参照）を制御するため調光信号ｋが生成される。この時調光信号生成部２２１は、検出した各ＲＧＢの明るさの情報について、映像記録装置が映像記録媒体へ記録できる明るさの情報の範囲全体に均一に収めるように調整して、その明るさ情報を含む調光信号ｋを生成する。例えば調光信号生成部２２１は、シャッタースピードが遅ければ比較的暗めの画像と判断したり、絞り値が高ければ比較的明るい映像であると判断したりして、検出した各ＲＧＢの明るさの情報について、映像記録装置が映像記録媒体へ記録できる明るさの情報の範囲全体に均一に収めるように調整する。
【００１９】
そしてこの調光信号生成部２２１で生成された調光信号ｋは、調光信号書込部２２２に出力される。調光信号書込部２２２では、調光信号生成部２２１から入力した調光信号ｋを基に、調光制御信号ｂを生成して映像記録媒体１に書き込む。なおこの調光制御信号ｂにホワイトバランス情報も含まれることとなる。
【００２０】
図３は明るさ情報の調整に関する説明の図である。
（ａ）に示すように、撮影対象の明るさが０〜２５５までの明るさ情報の範囲のうち、０〜１２８程度の暗めの明るさ情報を示している場合には、映像記録装置が映像記録媒体へ記録できる明るさの情報の範囲（階調またはラティチュード）全体（０〜２５５）に均一に収めるように調整する。なお映像表示装置が（ａ）のように記録された映像記録媒体を用いて映像を表示する際には、映像表示装置の調光素子において光量を小さくする。
また（ｂ）に示すように、撮影対象の明るさが、ある程度明るめの明るさ情報を示している場合にも、映像記録装置が映像記録媒体へ記録できる明るさの情報の範囲（階調またはラティチュード）全体（０〜２５５）に均一に収めるように調整する。なお映像表示装置が（ｂ）のように記録された映像記録媒体を用いて映像を表示する際には、映像表示装置の調光素子において光量を大きくする。
【００２１】
また、同期処理部２３１は、画像データｊと調光信号ｋを基に、同期信号ｍを生成する。この同期信号ｍは画像データ書込部２１２および調光信号書込部２２２に送られ、映像記録媒体１への調光制御信号ｂの書き込みは、画像信号ａと同期を取って行われる。
【００２２】
なお、映像記録媒体１への調光制御信号ｂの書き込みについては、通常は、Ｒ（赤）、Ｇ（緑）、Ｂ（青）ごとに行われるか、必要に応じて各色に共通の調光制御信号ｂを書き込むこともある。
【００２３】
なお、映像記録媒体１に記録される調光制御信号の内容については、例えば、調光量（減光量）の情報、画面の明るさの情報、撮影時の露光量の情報など、種々の情報を使用することができる。すなわち、調光制御信号ｂとしては、映像表示装置１００側において、調光素子１３Ｒ、１３Ｇ、１３Ｂの調光量を、画像に応じて適切に制御できる情報であればよい。
【００２４】
また、映像記録装置２００ａにおいて、測光素子２０２を使用せず、画像データから直接に調光信号を求めてもよい。例えば、映像記録装置２００中の調光信号生成部２２１では、画像データ処理部２１１から画像データｊを取得し、この画像データ中の明るさの階調（例えば、最大値や平均値など）から、調光信号ｋを生成する。この時調光信号生成部２２１は、検出した各ＲＧＢの明るさの情報について、映像記録装置が映像記録媒体へ記録できる明るさの情報の範囲全体に均一収めるようにして、その情報を含む調光信号ｋを生成する。また、調光信号書込部２２２により、調光信号ｋを基に調光制御信号ｂを生成して、映像記録媒体１に書き込む。
【００２５】
この例においては、測光素子２０２を省略でき、画像データｊを基に調光制御信号ｂを生成して、映像記録媒体１に記録できる。
【００２６】
［映像表示装置］
次に、本発明による映像表示装置について説明する。
図４は、本発明が適用される投射型の映像表示装置の表示部の概略構成図であって、Ｒ（赤）、Ｇ（緑）、Ｂ（青）の異なる色ごとに透過型のライトバルブ（液晶ライトバルブなど）を備えた３板式の投射型のカラー映像表示装置の例である。図中、符号１０Ｒ、１０Ｇ、１０Ｂは光源、１３Ｒ、１３Ｇ、１３Ｂは調光素子、２０Ｒ、２０Ｇ、２０Ｂはライトバルブ（液晶ライトバルブなど）、３０はクロスダイクロイックプリズム、４０は投射レンズ、４１はスクリーンを示している。
【００２７】
光源１０Ｒ、１０Ｇ、１０Ｂはそれぞれ赤色光、緑色光、青色光を出射可能な色光源であり、各光源１０Ｒ、１０Ｇ、１０Ｂは、発光ダイオード（ＬＥＤ）有機エレクトロルミネッセンス素子（有機ＥＬ素子）、無機エレクトロルミネッセンス素子（無機ＥＬ素子）等の発光体１１と、この発光体１１の出力光を反射するリフレクタ１２とから構成されている。また、ライトバルブ２０Ｒ、２０Ｇ、２０Ｂはそれぞれ光源１０Ｒ、１０Ｇ、１０Ｂに対応して設けられており、光源ごとに光変調が可能となっている。
【００２８】
また、調光素子１３Ｒ、１３Ｇ、１３Ｂは、一対のガラス基板（光透過性基板）間に液晶層が挟持され、この液晶パネルの両側に積層された偏光板から概略構成されている。上記一対のガラス基板に挟まれる液晶としては、ＦＬＣ等の応答速度が大きいタイプのものが用いられている。
【００２９】
調光素子１３Ｒ、１３Ｇ、１３Ｂは、調光素子ドライバからの駆動信号を受けて光透過性電極に電圧を印加する際、フレーム間における電圧無印加と電圧印加の時間配分を変更すると、透過率１００％と透過率０％の時間配分を自由に変更することができ、また、このように透過率１００％と透過率０％の時間配分を変更することで、調光素子１３Ｒ、１３Ｇ、１３Ｂから１フレーム間の射出光量を変化できるので、明るい画面であれば、１フレームにおけ透過率１００％の時間配分を大きくして透過率０％の時間配分を小さくすることにより１フレーム間の光量が多くなるようにする。
【００３０】
また、暗い画面であれば、１フレームにおける透過率１００％の時間配分を小さくして透過率０％の時間配分を大きくすることにより光量が少なくなるようにすることで、発光体１１からの１フレーム間の射出光量（発光体１１から１フレーム間に射出される光量）がこの調光素子１３Ｒ、１３Ｇ、１３Ｂで調節される。
【００３１】
また、クロスダイクロイックプリズム３０は４つの直角プリズムが貼り合わされた構造を有し、その貼り合わせ面３０ａ、３０ｂには誘電体多層膜からなる光反射膜（図示略）が十字状に形成されている。具体的には、貼り合わせ面３０ａには、ライトバルブ２０Ｒで形成された赤色の画像光を反射し、ライトバルブ２０Ｇ、２０Ｂで形成された緑色及び青色の画像光を透過する光反射膜が設けられている。一方、貼り合わせ面３０ｂには、ライトバルブ２０Ｂで形成された青色の画像光を反射し、ライトバルブ２０Ｒ、２０Ｇで形成された赤色及び緑色の画像光を透過する光反射膜が設けられている。そして、これらの光反射膜によって、各ライトバルブ２０Ｒ〜２０Ｂで形成された各色の映像光が合成されてカラー映像を表す光が形成される。合成された光は投射光学系である投射レンズ４０によりスクリーン４１上に投射され、拡大された映像が表示される。
【００３２】
次に、本発明による映像表示装置の回路構成例について説明する。
図５は、本発明による映像表示装置の第１の構成例を示す図であり、符号１は画像信号と調光制御信号を記録した映像記録媒体（ＣＤ−ＲＯＭやＤＶＤ−ＲＯＭなど）、１００は映像表示装置、１０１は映像記録媒体に記録された「画像信号」及び「調光制御信号」を読み取る記録媒体読取部、１０２は画像信号の伸張処理などを行う画像処理部、１０３はライトバルブを駆動するライトバルブドライバ、１１０は調光制御信号とその調光制御信号に含まれるホワイトバランス情報を基に調光素子ドライバを駆動する信号を生成する調光信号処理部、１１１は調光素子ドライバを示している。なお、ライトバルブドライバ１０３および調光素子ドライバ１１１は、Ｒ（赤）、Ｇ（緑）、Ｂ（青）の異なる色ごとにドライブ（駆動）する機能を備えている。
【００３３】
ＤＶＤ−ＲＯＭやＣＤ−ＲＯＭなどの映像記録媒体１は、記録媒体読取部１０１に挿入され、記録媒体読取部１０１により、映像記録媒体１に記録された「画像信号」と「調光制御信号（画像信号のフレームと同期した信号）」とが読み取られる。なお、この調光制御信号としては、通常は、Ｒ（赤）、Ｇ（緑）、Ｂ（青）の異なる色ごとに調光量の制御情報が記録されているが、Ｒ（赤）、Ｇ（緑）、Ｂ（青）に共通の調光量の制御情報を記録することもできる。
【００３４】
記録媒体読取部１０１で読み取られた画像信号ａと調光制御信号ｂは、画像処理部１０２に出力される。また、調光制御信号ｂは調光信号処理部１１０にも出力される。画像処理部１０２では、記録媒体読取部１０１から入力した画像信号ａに対して、各色の映像信号の伸張量を設定する伸張処理などの画像処理を施し、変調された画像信号ｃをライトバルブドライバ１０３に出力する。またこの時、調光信号ｂから得られた明るさを示す情報もライトバルブドライバ１０３に出力している。ライトバルブドライバ１０３では、画像処理部１０２から入力した「変調された画像信号ｃ」と明るさを示す情報を基に、ライトバルブ駆動信号ｄを生成して、ライトバルブ２０Ｒ、２０Ｇ、２０Ｂを駆動する。この時、ライトバルブ２０Ｒ、２０Ｇ、２０Ｂは、当該ライトバルブのダイナミックレンジをフルレンジで使うように、ライトバルブドライバ１０３で制御される。
【００３５】
また、調光信号処理部１１０では、記録媒体読取部１０１から入力した調光制御信号ｂを基に、調光素子ドライバ１１１を駆動するための調光素子制御信号ｅを生成して出力する。
【００３６】
調光素子ドライバ１１１は、調光信号処理部１１０から入力した調光素子制御信号eを基に、調光素子駆動信号ｆを生成し、調光素子１３Ｒ、１３Ｇ、１３Ｂを駆動し、ライトバルブ２０Ｒ、２０Ｇ、２０Ｂに入射する光量の制御を行う。この時、調光制御信号ｂにホワイトバランス情報が含まれる場合、ライトバルブはフルレンジの表示を行なっているので、調光信号処理部１１０が調光素子を個別調光することで、最適なホワイトバランスを再現することができる。
【００３７】
また映像表示装置の調光信号処理部１１０においては、映像表示装置の特性を調光制御信号に加えるようにしても良い。例えば、ダイナミックレンジはそれほど大きくないが、十分に明るい映像を出力可能な映像表示装置の場合であれば、調光信号処理部１１０が調光制御信号に対する表示特性（調光制御信号に含まれる明るさ情報＜輝度や照度やコントラスト比＞に対応する係数）を保持し、その表示特性の係数（係数＞１）を乗算する。これにより、照明光量を大きく制御することができるので、元の撮影対象に近い明るさを再現することができる。また反対に明るさを十分に出力できない映像表示装置であれば、調光制御信号に対する表示特性に応じた係数（係数＜１）を乗算する。これにより、照明光量の制御を小さくして、元の撮影対象に近い明るさを表現することができる。また撮影した映像の測光値が分かる場合には、表示装置の特性と照らし合わせ、測光値で得られた明るさが再現されるように調光制御信号を決定し、調光素子を制御することができる。例えば、表示装置の特性が、全白表示時に１０００ｌｍである場合を考える。もしも撮影した映像の測光値（ここでは最大照度）が５００ｌｍであるならば、照明光量を１／２とすることで、撮影時と同じ最大照度が５００ｌｍの映像を再現することができる。
【００３８】
なお、映像記録媒体１に記録される調光制御信号の内容については、例えば、調光量（減光量）の情報、画面の明るさの情報、撮影時の露光量（シャッタースピード、絞り、撮像素子感度などの撮影時の環境により決定される）の情報など、種々の情報を使用することができる。
すなわち、調光制御信号ｂとしては、映像表示装置１００側において、調光素子１３Ｒ、１３Ｇ、１３Ｂの調光量を、画像に応じて適切に制御できる情報であればよい。
【００３９】
このように、本発明の映像表示装置では、映像記録媒体に記録された画像信号を再生する際に、画像信号に対応して予め記録された調光制御信号を同時に読み出し、この調光制御信号により、再生する画像と同期して調光量を適切に制御する。これにより、映像表示装置で画像信号を再生する際に、再生する映像と調光量が非同期となることを防ぐことができ、映像に「白潰れ」や「チラツキ」を生じさせないようにできる。
また、ライトバルブドライバ１０３がライトバルブを制御する際にダイナミックレンジをフルレンジで利用し、調光素子ドライバ１１１が調光信号処理部１１０からの調光素子制御信号を受けて調光素子を制御する。そしてこの時、調光制御信号を映像表示装置の表示特性に合わせるので、映像表示装置の表示特性の違いを考慮した、さらなる明るさの再現効果が期待できる。
【００４０】
以上、本発明の実施の形態について説明したが、図１及び図２に示す映像記録装置内の各処理部、図４及び図５に示す映像表示装置内の各処理部については、専用のハードウエアによりその機能を達成してもよく、また、各処理部の機能を実現するためのプログラムをコンピュータ読み取り可能な記録媒体に記録して、この記録媒体に記録されたプログラムをコンピュータシステムに読み込ませ、実行することにより、図１及び図２に示す映像表示装置内の各処理部、図４及び図５に示す映像記録装置内の各処理部に必要な処理を行ってもよい。なお、ここでいう「コンピュータシステム」とは、ＯＳや周辺機器等のハードウェアを含むものとする。
【００４１】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの（伝送媒体ないしは伝送波）、その場合のサーバやクライアントとなるコンピュータシステム内部の揮発性メモリのように、一定時間プログラムを保持しているものも含むものとする。
また上記プログラムは、前述した機能の一部を実現するためのものであっても良く、さらに前述した機能をコンピュータシステムにすでに記録されているプログラムとの組み合わせで実現できるもの、いわゆる差分ファイル（差分プログラム）であっても良い。
【００４２】
以上、本発明の実施の形態について説明したが、本発明の映像表示装置及び映像記録装置は、上述の図示例にのみ限定されるものではなく、本発明の要旨を逸脱しない範囲内において種々変更を加え得ることは勿論である。
【図面の簡単な説明】
【００４３】
【図１】映像記録装置について説明するための図。
【図２】映像記録装置の第１の構成例を示す図。
【図３】明るさ情報の調整に関する説明の為の図である。
【図４】投射型の映像表示装置の表示部の概略構成図。
【図５】映像表示装置の構成例を示す図。
【符号の説明】
【００４４】
１… 映像記録媒体、１０Ｒ 、１０Ｇ、１０Ｂ…光源、１１… 発光体、１３ Ｒ、１３Ｇ、１３Ｂ…調光素子、２０Ｒ、２０Ｇ、２０Ｂ…ライトバルブ、１００…映像表示装置、１０１…記録媒体読取部、１０２…画像処理部、１０３…ライトバルブドライバ、１１０…調光信号処理部、１１１…調光素子ドライバ、２００…映像記録装置、２０１…ＣＣＤカメラ部、２０２…測光素子、２１１…画像データ処理部、２１２…画像データ書込部、２２１…調光信号生成部、２２１Ｂ…Ｂ（青）明度検出部、２２１Ｇ…Ｇ（緑）明度検出部、２２１Ｒ…Ｒ（赤）明度検出部、２２２…調光信号書込部、２３１…同期処理部
【図１】
0004661822.tif 000002
【図２】
0004661822.tif 000003
【図３】
0004661822.tif 000004
【図４】
0004661822.tif 000005
【図５】
0004661822.tif 000006